(57)【要約】【課題】交換などのためにウエイトを取り外す作業を容易に行うことができ、ゴルフクラブのスイングバランスを、そのゴルフクラブを使用するゴルファーが所望するものに簡単に変えることができるゴルフクラブ用グリップを提供する。【解決手段】ゴルフクラブのシャフトＳに装着した筒状のグリップ本体１の後端１ａに収納空間２を設け、さらにこの収納空間２を開閉自在とした蓋体３を取り付けると共に、前記収納空間２にウエイト４を着脱自在に収納できるようにしている。【選択図】図１
2012196282.tif 000002
【特許請求の範囲】
【請求項１】
ゴルフクラブのシャフト（Ｓ）に装着した筒状のグリップ本体（１）の後端（１ａ）に収納空間（２）を設け、さらにこの収納空間（２）を開閉自在とした蓋体（３）を取り付けると共に、前記収納空間（２）にウエイト（４）を着脱自在に収納できるようにしたことを特徴とするゴルフクラブ用グリップ。
【請求項２】
前記収納空間（２）に、蓋体（３）を螺合することにより着脱自在として取り付けたことを特徴とする請求項１記載のゴルフクラブ用グリップ。
【請求項３】
前記収納空間（２）に、蓋体（３）を嵌合することにより着脱自在として取り付けたことを特徴とする請求項１記載のゴルフクラブ用グリップ。
【請求項４】
前記ウエイト（４）を、収納空間（２）に貼着したことを特徴とする請求項１〜３の何れかに記載のゴルフクラブ用グリップ。
【発明の詳細な説明】
【技術分野】
【０００１】
この発明は、スイングバランスを調整するためのウエイト（錘）を設けたゴルフクラブ用グリップに関するものである。
【背景技術】
【０００２】
従来より、ゴルフクラブは、飛距離等の向上をはかるために、ヘッド重量を重くしたり、シャフトの長さを長くすることが試されていた。しかし、ゴルフクラブのヘッド重量を重くしたり、シャフトの長さを長くすることによって、クラブのスイングバランスが変わるので、そのスイングバランスが変わったクラブで、スイングをコントロールしてボールを打つことは困難である。
【０００３】
そこで、ゴルファー自身のスイングに合わせてバランスを調整するために、シャフトのグリップ寄りに鉛の板を貼ったり、グリップそのものを重くしたり、グリップ内にウエイトを設けたりしている。
【０００４】
グリップ内にウエイトを設けたものとしては、例えば図９、１０に示したように、筒状としたグリップ本体２１の後端にウエイト接続部２２を設け、このウエイト接続部２２の径方向略中央に形成した差込口２３に、ウエイト２４を差し込むことにより、このウエイト２４をウエイト接続部２２に堅固に保持したものとしている。
【０００５】
ウエイト２４は、錘部２５と差込部２６とを有するものとしている。さらに、差込部２６は、先端部２６ａ、拡径部２６ｂ、係合部２６ｃに分けられており、拡径部２６ｂは、先端部２６ａ側から係合部２６ｃ側に向かうに連れて外径が拡大するように形成されたテーパー状の部分を有している。そのため、先端部２６ａを差込口２３に差し込んだ状態において、ウエイト２４をさらに軸方向に押し込むとウエイト接続部２２が弾性変形し、拡径部２６ｂによって差込口２３が押し広げられるとしている。
【０００６】
そして、前記グリップ本体２１がウエイト接続部２２よりも軟質であるため、錘部２５の裏面とウエイト接続部２２との間に爪などを挿入することにより容易に隙間を広げることができる。したがって、このものでは、ウエイト２４の取り付けだけでなく、交換などのためにウエイト２４を取り外す作業も容易に行うことができるとしている。
【先行技術文献】
【特許文献】
【０００７】
【特許文献１】特許第４５０７２６６号公報
【発明の概要】
【発明が解決しようとする課題】
【０００８】
しかしながら、従来のグリップ内にウエイトを設けたものでは、前記したようにウエイト２４の拡径部２６ｂによってウエイト接続部２２の差込口２３が押し広げられ、この差込口２３にウエイト２４の係合部２６ｃが係合するようにしている。
【０００９】
したがって、従来のものでは、前記したようにウエイト２４の取り付けだけでなく、交換などのためにウエイト２４を取り外す作業も容易に行うことができるとしているが、実際は、ウエイト２４の拡径部２６ｂや係合部２６ｃをウエイト接続部２２の差込口２３から外すのが困難であり、交換などのためにウエイト２４を取り外す作業を容易に行うことができないという課題を有していた。
【００１０】
そこで、この発明は、グリップ内に取り付けたウエイトを、交換などのために取り外す作業を容易に行うことができ、ゴルフクラブのスイングバランスを、そのゴルフクラブを使用するゴルファーが所望するものに簡単に変えることができるゴルフクラブ用グリップを提供することを目的としてなされたものである。
【課題を解決するための手段】
【００１１】
この発明のゴルフクラブ用グリップは、ゴルフクラブのシャフトＳに装着した筒状のグリップ本体１の後端１ａに収納空間２を設け、さらにこの収納空間２を開閉自在とした蓋体３を取り付けると共に、前記収納空間２にウエイト４を着脱自在に収納できるようにしている。
【００１２】
さらに、この発明のゴルフクラブ用グリップは、前記収納空間２に、蓋体３を螺合することにより着脱自在として取り付けている。
【００１３】
また、この発明のゴルフクラブ用グリップは、前記収納空間２に、蓋体３を嵌合することにより着脱自在として取り付けている。
【００１４】
さらにまた、この発明のゴルフクラブ用グリップは、前記ウエイト４を、収納空間２に貼着したものとしている。
【発明の効果】
【００１５】
この発明のゴルフクラブ用グリップは、以上に述べたような構成としているので、交換などのためにウエイトを取り外す作業を容易に行うことができ、ゴルフクラブのスイングバランスを、そのゴルフクラブを使用するゴルファーが所望するものに簡単に変えることができるものとなった。
【図面の簡単な説明】
【００１６】
【図１】この発明のゴルフクラブ用グリップの一実施形態を示しており、そのグリップをゴルフクラブのシャフトに装着した状態の断面図である。
【図２】図１に示す実施形態のグリップ本体の収納空間にウエイトを収納する前の状態を示す説明図である。
【図３】図１に示す実施形態のグリップ本体にウエイトを収納した収納空間を蓋体で閉鎖する前の状態を示す説明図である。
【図４】図１に示す実施形態のグリップ本体にウエイトを収納した収納空間を蓋体で閉鎖した後の状態を示す説明図である。
【図５】この発明のゴルフクラブ用グリップの他の実施形態を示しており、そのグリップをゴルフクラブのシャフトに装着した状態の断面図である。
【図６】図５に示す実施形態のグリップ本体の収納空間にウエイトを収納する前の状態を示す説明図である。
【図７】図５に示す実施形態のグリップ本体にウエイトを収納した収納空間を蓋体で閉鎖する前の状態を示す説明図である。
【図８】図５に示す実施形態のグリップ本体にウエイトを収納した収納空間を蓋体で閉鎖した後の状態を示す説明図である。
【図９】従来のゴルフクラブ用グリップのウエイトの取り付け前の状態を示す断面図である。
【図１０】従来のゴルフクラブ用グリップのウエイトの取り付け後の状態を示す断面図である。
【発明を実施するための形態】
【００１７】
以下、この発明のゴルフクラブ用グリップを実施するための形態を、図面に基づいて詳細に説明する。
【００１８】
この発明のゴルフクラブ用グリップは、図示したように、ゴルフクラブのシャフトＳに挿脱自在として装着した筒状のグリップ本体１の後端１ａに収納空間２を設け、さらにこの収納空間２を開閉自在とした蓋体３を取り付けると共に、前記収納空間２にウエイト４を着脱自在に収納できるようにしている。
【００１９】
前記グリップ本体１は、天然ゴム、合成ゴム、軟質樹脂等のゴム弾性を有する素材によって筒状に形成されており、ゴルフクラブのシャフトＳにゴム弾性力をもって、その先端１ｂから挿脱自在としており、容易に抜脱しないようにしている。
【００２０】
前記収納空間２には、図１〜４に示したものでは、蓋体３を螺合することにより着脱自在として取り付けたものとしている。すなわち、前記収納空間２は、硬質樹脂等からなる有底円筒体５を、グリップ本体１の後端１ａに一体として形成した有底円筒部６に嵌着したものとし、この有底円筒体５の内周面に設けた雌ねじ７に、蓋体３の突出部３ａの外周面に設けた雄ねじ８を着脱自在に螺合したものとしている。
【００２１】
また、前記収納空間２には、図５〜８に示したものでは、蓋体３を嵌合することにより着脱自在として取り付けたものとしている。すなわち、前記収納空間２は、グリップ本体１の後端１ａに一体として形成した有底円筒部６の内周面に設けた凹条９に、蓋体３の突出部３ａの外周面に設けた凸条１０を着脱自在に嵌合したものとしている。
【００２２】
前記ウエイト４は、円形などの任意形状とした金属板等からなるものとしており、収納空間２に貼着したものとしている。すなわち、前記ウエイト４の底面４ａに面接着テープを貼り付けるなどして粘着層１１を設け、図１〜４に示したものでは、このウエイト４を有底円筒体５の底面５ａに貼着したものとし、図５〜８に示したものでは、このウエイト４を有底円筒部６の底面６ａに貼着したものとしている。
【００２３】
さらに、前記有底円筒体５の底面５ａおよび有底円筒部６の底面６ａには、グリップ本体１の筒状内に連通する空気抜き孔１２を設けたものとしている。
【００２４】
そこで、以上のように構成されたこの発明のゴルフクラブ用グリップを、ゴルフクラブのシャフトＳに装着するには、以下に述べるようにして行う。
【００２５】
先ず、この発明のゴルフクラブ用グリップは、グリップ本体１を、その先端１ｂからゴルフクラブのシャフトＳに挿入する。
【００２６】
次に、前記ウエイト４を指先で摘み、図２または図６に示したように、グリップ本体１の後端１ａに設けた収納空間２に差し込み、このウエイト４の底面４ａに取り付けた粘着層１１を、図３または図７に示したように、有底円筒体５の底面５ａまたは有底円筒部６の底面６ａに貼着する。
【００２７】
そして、前記蓋体３を指先で摘み、図３または図７に示したように、収納空間２の上方に持って行き、図４に示したように、グリップ本体１の後端１ａの有底円筒体５の雌ねじ７に、蓋体３の突出部３ａの雄ねじ８を螺合したり、図８に示したように、グリップ本体１の後端１ａの有底円筒部６の凹条９に、蓋体３の突出部３ａの凸条１０を嵌合することにより、前記蓋体３で収納空間２を閉鎖する。
【００２８】
そこで、ゴルファーは、この発明のゴルフクラブ用グリップを装着したゴルフクラブで試し打ち行い、スイングバランスを確認する。この場合、前記ウエイト４がそのゴルファーが所望するスイングバランスに合っていないと感じたときには、図１〜４に示したものでは、前記蓋体３を指先で摘んで、この螺合した蓋体３を緩めることによりその蓋体３を外し、また図５〜８に示したものでは、前記蓋体３と収納空間２の間に爪を立て、この嵌合した蓋体３と引き上げることによりその蓋体３を外す。そして、前記収納空間２にねじ廻しやクギ等の先の尖ったものを差し込んで、この収納空間２の有底円筒体５の底面５ａまたは有底円筒部６の底面６ａに貼着したウエイト４を引き剥がす。そして、前記したのと同様の操作を繰り返して、別のウエイト４に交換する。別のウエイト４としては、重さの相違するものを多種類、用意しておき、そのゴルフクラブを使用するゴルファーが所望するスイングバランスになるものを選択できるようにしておく。
【００２９】
したがって、以上のように構成されたこの発明のゴルフクラブ用グリップは、グリップ本体１に取り付けたウエイト４を、交換などのために取り外す作業を容易に行うことができ、ゴルフクラブのスイングバランスを、そのゴルフクラブを使用するゴルファーが所望するものに簡単に変えることができるものとなった。
【符号の説明】
【００３０】
１  グリップ本体
１ａ  後端
２  収納空間
３  蓋体
４  ウエイト
Ｓ  シャフト
【図１】
2012196282.tif 000003
【図２】
2012196282.tif 000004
【図３】
2012196282.tif 000005
【図４】
2012196282.tif 000006
【図５】
2012196282.tif 000007
【図６】
2012196282.tif 000008
【図７】
2012196282.tif 000009
【図８】
2012196282.tif 000010
【図９】
2012196282.tif 000011
【図１０】
2012196282.tif 000012